【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
少なくとも映像データを含む放送番組データを情報格納部に格納させる番組録画処理を行う番組録画部と、
前記番組録画部によって録画された番組の番組内容を表す番組内容確認用データを作成し、前記情報格納部に前記番組内容確認用データを格納させる番組内容確認用データ作成処理部と、を有し、
前記番組内容確認用データ作成処理部は、
前記情報格納部に格納されている前記放送番組データを読出す番組読出し部と、
前記番組読出し部によって読出された前記放送番組データに含まれる映像データから、複数のフレーム画像の各々を順次切り出すフレーム画像取得部と、
前記フレーム画像取得部によって切り出されたときの前記フレーム画像の解像度である基準解像度を超えない範囲内で、前記順次切り出された複数のフレーム画像の各々の設定解像度を個別に決定するフレーム画像解像度決定部と、
前記順次切り出された複数のフレーム画像の各々を、前記フレーム画像解像度決定部で個別に決定された前記設定解像度のフレーム画像に変換する解像度変換処理を施すフレーム画像解像度変換部と、
前記解像度変換処理が施された前記フレーム画像を含む前記番組内容確認用データを前記情報格納部に格納させる番組内容確認用データ記録部と、を含む
ことを特徴とする放送受信装置。
【請求項２】
前記フレーム画像解像度決定部が決定する前記設定解像度は、前記番組録画部によって行われる前記番組録画処理の開始時点のフレーム画像について最も低く、前記番組録画処理の開始時点からの経過時間が増加するほど高くなることを特徴とする請求項１に記載の放送受信装置。
【請求項３】
前記フレーム画像解像度決定部が決定する前記設定解像度は、前記番組録画部によって行われる前記番組録画処理の開始時点のフレーム画像について最も低く、前記番組録画処理の開始時点からの経過時間に比例して高くなることを特徴とする請求項１又は２に記載の放送受信装置。
【請求項４】
前記番組読出し部によって読出された前記放送番組データに含まれる映像データ及び音声データの少なくとも一方から、前記番組録画部によって録画された放送番組の各時刻における前記放送番組データの重要度を算出する重要度算出部をさらに備え、
前記フレーム画像解像度決定部が決定する前記設定解像度は、前記重要度が低い時刻におけるフレーム画像について低い解像度であり、前記重要度が前記低い重要度よりも高い重要度である時刻におけるフレーム画像について前記低い解像度よりも高い解像度である
ことを特徴とする請求項１に記載の放送受信装置。
【請求項５】
前記フレーム画像取得部は、前記重要度算出部によって与えられた前記重要度が予め決められた閾値重要度以上か否かの判定を行い、前記閾値重要度よりも低いと判定された場合には、前記閾値重要度よりも低いと判定されたフレーム画像を取得せず、前記閾値重要度以上の重要度が与えられた時刻におけるフレーム画像を取得することを特徴とする請求項４に記載の放送受信装置。
【請求項６】
前記番組読出し部によって読出された前記放送番組データに含まれる番組解説情報、前記番組読出し部によって読出された前記放送番組データに含まれる前記番組録画処理に関する録画情報、及び前記番組読出し部によって読出された前記放送番組データに含まれる字幕情報の内の少なくとも１つを含む情報ファイルを作成する情報ファイル作成部をさらに備え、
前記番組内容確認用データ記録部は、前記情報ファイルを前記番組内容確認用データに含めて前記情報格納部に格納させる
ことを特徴とする請求項１から５のいずれか１項に記載の放送受信装置。
【請求項７】
携帯情報端末との通信を行う通信インタフェース部と、
前記情報格納部に格納されている前記番組内容確認用データを読出す番組内容確認用データ読出し部と、
前記携帯情報端末から前記通信インタフェース部を経由して受け取った転送要求信号に応じて、録画済みの番組の中から前記転送要求信号によって転送要求されている番組を特定し、前記特定された番組に関する前記番組内容確認用データを読出すように前記番組内容確認用データ読出し部に制御信号を出力し、前記番組内容確認用データ読出し部によって読出された前記番組内容確認用データを前記通信インタフェース部を経由して前記携帯情報端末に送信する番組内容確認用データ転送制御部と
をさらに備えること特徴とする請求項１から６のいずれか１項に記載の放送受信装置。
【請求項８】
前記情報格納部に格納されている前記放送番組データを読出す番組読出し部と、
前記番組読出し部の動作を制御する番組再生制御部と、
を有し、
前記番組再生制御部は、
前記携帯情報端末から前記通信インタフェース部を経由して受け取った信号が示す再生要求番組及び再生開始時刻に応じて、前記情報格納部に格納されている放送番組データに基づく映像データ及び音声データを特定し、前記特定した番組の前記特定した再生開始時刻以降の放送番組データを読出すよう制御信号を前記番組読出し部に出力し、
前記番組読出し部によって読出された放送番組データに応じた映像信号及び音声信号を出力する出力部と、
を備えること特徴とする請求項７に記載の放送受信装置。
【請求項９】
少なくとも映像データを含む放送番組データを情報格納部に格納させる番組録画処理を行うことによって録画された番組の番組内容を表す番組内容確認用データを作成し、前記情報格納部に前記番組内容確認用データを格納させる番組内容確認用データ作成処理装置であって、
前記情報格納部に格納されている前記放送番組データを読出す番組読出し部と、
前記番組読出し部によって読出された前記放送番組データに含まれる映像データから、複数のフレーム画像の各々を順次切り出すフレーム画像取得部と、
前記フレーム画像取得部によって切り出されたときの前記フレーム画像の解像度である基準解像度を超えない範囲内で、前記順次切り出された複数のフレーム画像の各々の設定解像度を個別に決定するフレーム画像解像度決定部と、
前記順次切り出された複数のフレーム画像の各々を、前記フレーム画像解像度決定部で個別に決定された前記設定解像度のフレーム画像に変換する解像度変換処理を施すフレーム画像解像度変換部と、
前記解像度変換処理が施された前記フレーム画像を含む前記番組内容確認用データを前記情報格納部に格納させる番組内容確認用データ記録部と、を含む
ことを特徴とする番組内容確認用データ作成処理装置。
【請求項１０】
情報格納部と、
少なくとも映像データを含む放送番組データを前記情報格納部に格納させる番組録画処理を行う番組録画部と、
前記番組録画部によって録画された番組の番組内容を表す番組内容確認用データを作成し、前記情報格納部に前記番組内容確認用データを格納させる番組内容確認用データ作成処理部と、を有し、
前記番組内容確認用データ作成処理部は、
前記情報格納部に格納されている前記放送番組データを読出す番組読出し部と、
前記番組読出し部によって読出された前記放送番組データに含まれる映像データから、複数のフレーム画像の各々を順次切り出すフレーム画像取得部と、
前記フレーム画像取得部によって切り出されたときの前記フレーム画像の解像度である基準解像度を超えない範囲内で、前記順次切り出された複数のフレーム画像の各々の設定解像度を個別に決定するフレーム画像解像度決定部と、
前記順次切り出された複数のフレーム画像の各々を、前記フレーム画像解像度決定部で個別に決定された前記設定解像度のフレーム画像に変換する解像度変換処理を施すフレーム画像解像度変換部と、
前記解像度変換処理が施された前記フレーム画像を含む前記番組内容確認用データを前記情報格納部に格納させる番組内容確認用データ記録部と、を含む
ことを特徴とする番組録画装置。